(57)【特許請求の範囲】
【請求項１】
カセグレン様式の望遠鏡であって、
前記望遠鏡は、
主鏡、
前記主鏡から間隔を空けられた副鏡、及び
複数のレンズを備える光学収差補正器
を備えると共に、
前記主鏡及び前記副鏡が焦点面を形成するように構成されたものであると共に、
前記光学収差補正器が前記副鏡及び前記焦点面の間に配置されたものであると共に、
前記光学収差補正器が前記主鏡及び前記副鏡の光学収差を補正するように構成されたものであると共に、
前記光学収差補正器は、個々のレンズについての相対的により短いよりパワフルな正の及び負の焦点距離が一緒に組み合わせられることで相対的により長いよりパワフルではない焦点距離に帰着するように構成されたものであると共に、
前記複数のレンズの材料は、スペクトルの赤外の領域内の波長の範囲における放射を透過させるように選択されたものであると共に前記波長の範囲において低減された色収差を達成するように波面誤差の平均の二乗平均平方根（ＲＭＳ  ＷＦＥ）を与えることによって前記望遠鏡の視野が拡大されるように屈折率の変動を有するように選択されたものである、
望遠鏡。
【請求項２】
請求項１の望遠鏡において、
前記光学収差は、球面収差、コマ、若しくは非点収差、又はそれらの二つ以上の任意の組み合わせを含む、望遠鏡。
【請求項３】
請求項１の望遠鏡において、
前記波長の範囲は、１．４μｍ及び３μｍの間である、望遠鏡。
【請求項４】
請求項１の望遠鏡において、
前記波長の範囲は、４μｍ及び８μｍの間である、望遠鏡。
【請求項５】
請求項１の望遠鏡において、
前記波長の範囲は、８μｍ及び１２μｍの間である、望遠鏡。
【請求項６】
請求項１の望遠鏡において。
前記主鏡及び前記副鏡は、双曲面鏡である、望遠鏡。
【請求項７】
請求項１の望遠鏡において、
前記主鏡は、放物面鏡であると共に、
前記副鏡は、双曲面鏡である、
望遠鏡。
【請求項８】
請求項１の望遠鏡において、
前記望遠鏡は、結像光学系として動作するように構成されたものであると共に、
前記主鏡は、遠視野の物体からの放射を受光すると共に前記副鏡に向かって前記放射を反射させるように構成されたものであると共に、
前記副鏡は、前記主鏡によって反射させられた前記放射を受光すると共に前記放射を反射させることで前記光学収差補正器を通過した後に前記焦点面に像を形成するように構成されたものである、
望遠鏡。
【請求項９】
請求項１の望遠鏡において、
前記望遠鏡は、光学試験用のコリメーターとして動作するように構成されたものであると共に、
前記副鏡は、放射源からの放射を受光すると共に前記主鏡に向かって前記放射を反射するように構成されたものであると共に、
前記主鏡は、前記光学収差補正器を通過した後に前記副鏡によって反射させられた前記放射を受光すると共に無限遠に配置された放射源をシミュレートするために前記放射を反射させることでコリメートされたビームを形成する、
望遠鏡。
【請求項１０】
請求項１の望遠鏡において、
前記望遠鏡の有効焦点距離は、２００インチであると共に前記の望遠鏡の長さは、５８インチであることで、３．４４の望遠比を達成する、望遠鏡。
【請求項１１】
請求項１の望遠鏡において、
前記望遠鏡の視野は、１度以上である、
望遠鏡。
【請求項１２】
請求項１の望遠鏡において、
前記望遠鏡の明るさは、Ｆ／１３である、望遠鏡。
【請求項１３】
主鏡及び前記主鏡から間隔を空けられた副鏡を有するカセグレン様式の望遠鏡の収差を補正する方法であって、
前記方法は、
前記副鏡と、前記主鏡及び前記副鏡によって形成される焦点面との間に、複数のレンズを備える光学収差補正器を配置すること、並びに、
スペクトルの赤外の領域内の波長の範囲において放射を透過させると共に前記波長の範囲において前記望遠鏡の視野を拡大するように屈折率の変動を有する前記複数のレンズの材料を選択すること
を備えると共に、
前記光学収差補正器は、個々のレンズについての相対的により短いよりパワフルな正の及び負の焦点距離が一緒に組み合わせられることで相対的により長いよりパワフルではない焦点距離に帰着するように構成されたものであると共に、
前記波長の範囲において低減された色収差を達成するように波面誤差の平均の二乗平均平方根（ＲＭＳ  ＷＦＥ）を与えることによって前記主鏡及び前記副鏡の光学収差を補正する、
方法。
【発明の詳細な説明】
【技術分野】
【０００１】
本開示は，広い波長領域で動作するＲｏｓｓ式補正がなされたカセグレン式望遠鏡に関する。
【０００２】
古典的なカセグレン式望遠鏡，Ｄａｌｌ−Ｋｉｒｋｈａｍ式望遠鏡，Ｓｃｈｍｉｄｔ−Ｃａｓｓｅｇｒａｉｎ式望遠鏡，Ｍａｋｓｕｔｏｖ−Ｃａｓｓｅｇｒａｉｎ式望遠鏡，Ａｒｇｕｎｏｖ−Ｃａｓｓｅｇｒａｉｎ式望遠鏡，Ｋｌｅｖｔｓｏｖ−Ｃａｓｓｅｇｒａｉｎ式望遠鏡，及びリッチー・クレチアン（Ｒｉｔｃｈｅｙ−Ｃｈｒｅｔｉｅｎ：ＲＣ）式望遠鏡を含むカセグレン式望遠鏡は，可視波長領域において物体を観察するために広く用いられている。二つの鏡を有するカセグレン式望遠鏡は，軸外像面湾曲やコマ収差及び非点収差によって制限される非常に限定された視野（ＦＯＶ）を有することが知られている。ＲＣ望遠鏡は，コマ収差を除去し，カセグレン式の構成よりも大きな視野を提供するように構成されている。古典的なカセグレン式望遠鏡は，主放物面鏡及び副双曲面鏡を有する。ＲＣ望遠鏡は，主双曲面鏡及び副双曲面鏡を有する。
【０００３】
二つの鏡を有するカセグレン式望遠鏡における軸外収差の補正は，Ｒｏｓｓ式光学収差補正機又はＷｙｎｎｅ式光学収差補正機を用いて実行される。Ｒｏｓｓ式光学収差補正機及びＷｙｎｎｅ式光学収差補正機は，二つの鏡を有するカセグレン式の望遠鏡によって形成される最終像の近くに配置される一連の対物レンズを用いる。しかしながら，従来のＲｏｓｓ式光学補正機又はＷｙｎｎｅ式光学補正機は，もっぱら光学ガラスレンズを用い，可視波長領域において作動される。光学ガラスレンズは限られた波長領域で機能するものであり，広い波長領域例えば０．４μｍから約１２μｍの間の波長領域には特に適していない。
【０００４】
そこで，当該技術分野においては，１度以上の拡張された視野（ＦＯＶ）を提供する一方で，０．４μｍから約１２μｍの間の波長領域において動作可能な光学収差補正機を用いるＲＣ望遠鏡等のカセグレン式望遠鏡が求められている。この波長領域には，短波長赤外（ＳＷＩＲ）領域（約１．４μｍから約３μｍの間），中間波長赤外（ＭＷＩＲ）領域（約３μｍから約８μｍの間），及び長波長赤外（ＬＷＩＲ）領域（約８μｍから約１５μｍの間）の少なくとも一部分が含まれる。
【発明の概要】
【０００５】
本開示の一又は複数の実施形態は，カセグレン式望遠鏡を提供する。このカセグレン式望遠鏡は，主鏡と，当該主鏡から離れて配置された副鏡と，複数のレンズを有する光学収差補正機とを備える。前記主鏡及び前記副鏡は，焦点面を形成するように構成される。前記光学収差補正機は，前記副鏡と前記焦点面との間に配置される。前記光学収差補正機は，前記主鏡及び前記副鏡の光学収差を補正するように構成される。前記複数のレンズの材料は，約０．４μｍから約１２μｍの間の波長領域において放射光を伝達し，且つ，波面収差の平均二乗平均平方根（ＲＭＳ  ＷＦＥ）が約０．０８より小さくなるレベルへ色収差を減少させるために屈折率の変化が約０．０５以下となるように選択される。
【０００６】
本開示の他の実施形態は，主鏡と当該主鏡と離れて配置された副鏡とを有するカセグレン式望遠鏡の収差補正方法を提供する。当該方法は，前記副鏡と前記主鏡及び前記副鏡によって形成される焦点面との間に複数のレンズを備える光学収差補正機を配置する工程と，約０．４μｍから約１２μｍの間の波長領域において放射光を伝達し，且つ，前記主鏡及び前記副鏡の光学収差を補正するために，屈折率の変化が前記波長領域において約０．０５より小さくなるように前記複数の光学レンズの材料を選択する工程と，を備える。
【０００７】
本開示の上記及び上記以外の特徴及び性質、並びに、関連する構成要素及び各部分の組み合わせの動作方法及び機能及び製造の経済性については、添付図面を参照しつつ以下の詳細な説明と添付の特許請求の範囲を検討することによってさらに明らかになる。これらはいずれも本明細書の一部を構成する。本明細書において、類似の参照符号は様々な図面において対応する部分を表す。添付図面は例示及び説明のためのものであり、本発明の発明特定事項の定義として用いることは意図されていない。本明細書及び特許請求の範囲における用法によれば、単数形の“ａ”，“ａｎ”及び“ｔｈｅ”には複数のものへの言及が含まれる。ただし、文脈によって別に解すべきことが明白な場合はこの限りでない。
【図面の簡単な説明】
【０００８】
添付図面は以下の通りである。
【０００９】
【図１】一実施形態に従って，ＲＣ望遠鏡におけるレイ・トレーシング・シミュレーションを示す。
【００１０】
【図２】他の実施形態に従って，カセグレン式望遠鏡におけるレイ・トレーシング・シミュレーションを示す。
【００１１】
【図３】一実施形態に従って，様々な光学材料について，屈折率の変化Δｎを約１μｍから約１０μｍの間の領域における波長の関数としてプロットした図を示す。
【発明を実施するための形態】
【００１２】
図１は，一実施形態に従って，ＲＣ望遠鏡１０におけるレイ・トレーシング・シミュレーションを示す。ＲＣ望遠鏡１０は，双曲面主鏡１２，双曲面副鏡１４，及び光学収差補正機１６を備える。光学収差補正機１６は複数の光学レンズを備える。光学収差補正機１６は，二つの鏡１２及び１４で生じる球面収差，コマ収差，及び非点収差を含む光学収差を補正するために用いられる。図１に示すように，光学収差補正機１６は，例えば、二つの光学レンズ１８Ａ及び１８Ｂを備える。しかしながら，光学収差補正機１６は，光学収差（例えば、球面収差，コマ収差，及び非点収差）を補正するために，二つ以上のレンズを備えることができる。主鏡１２及び副鏡１４は焦点面１９を形成する。光学レンズ１８Ａ及び１８Ｂは，副鏡１４と主鏡１２及び副鏡１４の焦点面１９との間に配置される。一実施形態において，光学レンズ１８Ａ及び１８Ｂは，主鏡１２及び副鏡１４によって形成される焦点面１９の近傍に配置される。
【００１３】
一実施形態において，ＲＣ望遠鏡１０は，結像光学系（ｉｍａｇｉｎｇ  ｏｐｔｉｃａｌ  ｓｙｓｔｅｍ）として動作できる。当該光学系においては，遠位にある物体（不図示）からの放射光が主鏡１２によって受光される。主鏡１２は，放射光を副鏡１４の方向に反射する。副鏡１４は，主鏡１２によって反射された放射光を受光し，当該放射光を反射して光学収差補正機１６を通過した後に平面状の焦点面１９に像を形成するように構成されている。一実施形態において，平面状の焦点面１９は，ゼロ・ペッツバル曲率又は「フラットフィールド（ｆｌａｔ  ｆｉｅｌｄ）」条件を満足するように構成されうる。
【００１４】
他の実施形態において，ＲＣ望遠鏡１０は，広視野（ＷＦＯＶ）コリメーター又は光学特殊試験装置（ｏｐｔｉｃａｌ  ｓｐｅｃｉａｌ  ｔｅｓｔ  ｅｑｕｉｐｍｅｎｔ：ＯＳＴＥ）の一部分として動作できる。例えば、この場合，ＲＣ望遠鏡１０は，結像光学系又はそれ以外の望遠鏡の試験のために，遠位にある物体をシミュレートするために用いられうる。この場合，放射源（不図示）は，焦点面１９に配置されうる。放射源からの放射光は，光学収差補正機１６を通過した後，すなわち光学レンズ１８Ａ及び１８Ｂを通過した後に副鏡１４によって受光される。副鏡１４は，当該放射光を主鏡１２の方向へ反射する。主鏡１２は，光学収差補正機１６を通過した後に副鏡１４によって反射された放射光を受光し，当該放射光を反射して無限遠でコリメートビームを形成するように構成される。したがって，望遠鏡１０によって形成されたコリメートビームは，遠位（試験対象の結像光学系から数１０キロメーターないし数千キロメーター離れている）にある放射源をシミュレートする。放射源は，実際には，試験対象の結像光学系から１メートル未満に配置されうる。
【００１５】
図２は，他の実施形態に従って，カセグレン式望遠鏡２０におけるレイ・トレーシング・シミュレーションを示す。カセグレン式望遠鏡２０は，放物面主鏡２２，双曲面副鏡２４，及び光学収差補正機２６を備える。光学収差補正機２６は，複数の光学レンズを備える。光学収差補正機２６は，鏡２２及び２４で生じる球面収差，コマ収差，及び非点収差等の任意の光学収差を補正するために用いられる。例えば、図２に示すように，光学収差補正機２６は，光学レンズ２８Ａ及び２８Ｂを備える。しかしながら，補正機２６は，光学収差を補正するために，二つ以上のレンズを備えることができる。主鏡２２及び副鏡２４は，焦点面２９に像を形成することができる。光学レンズ２８Ａ及び２８Ｂは，副鏡２４と主鏡２２及び副鏡２４の焦点面２９との間に配置される。一実施形態において，光学レンズ２８Ａ及び２８Ｂは，主鏡２２及び副鏡２４によって形成される焦点面２９の近傍に配置される。
【００１６】
ＲＣ望遠鏡１０と同様に，カセグレン式望遠鏡２０は，焦点面２９に像を形成する結像光学系，広視野（ＷＦＯＶ）コリメーター，又は，ＲＣ望遠鏡１０に関連して上述したように遠位にある放射源をシミュレートする光学特殊試験装置（ＯＳＴＥ）の一部として動作できる。
【００１７】
本明細書ではカセグレン式望遠鏡について二つの実施形態（カセグレン式望遠鏡２０及びＲＣ望遠鏡１０）を説明するが，光学収差補正機は，少なくとも二つの鏡を有する他の任意のカセグレン式望遠鏡において用いられうる。このようなカセグレン式望遠鏡には，Ｄａｌｌ−Ｋｉｒｋｈａｍ式望遠鏡，Ｋｕｔｔｅｒ式望遠鏡，Ｓｃｈｍｉｄｔ−Ｃａｓｓｅｇｒａｉｎ式望遠鏡，Ｍａｋｓｕｔｏｖ−Ｃａｓｓｅｇｒａｉｎ式望遠鏡，Ａｒｇｕｎｏｖ−Ｃａｓｓｅｇｒａｉｎ式望遠鏡，及びＫｌｅｖｔｓｏｖ−Ｃａｓｓｅｇｒａｉｎ式望遠鏡，又はこれらの任意の変形が含まれる。
【００１８】
望遠鏡１０及び２０における複数のレンズ１８Ａ及び１８Ｂ，２８Ａ及び２８Ｂの材料は，約０．４μｍから約１２μｍの間の広い波長領域を伝達し，望遠鏡１０，２０の視野（ＦＯＶ）を拡張することができるようにそれぞれ選択される。一実施形態において，複数のレンズ１８Ａ，１８Ｂ，２８Ａ及び２８Ｂの材料は，スペクトルの赤外領域（例えば、ＳＷＩＲ及びＭＷＩＲ波長領域）において放射光を伝達する光学材料，及び，望遠鏡１０，２０の拡張された，例えば１．０度より大きいＦＯＶを実現するための所望の屈折率を有する光学材料から選択されうる。
【００１９】
図３は，一実施形態に従って，様々な光学材料について，屈折率の変化Δｎを，約１μｍから約１０μｍの間の領域における波長の関数としてプロットした図である。図３には，関心のある波長領域で放射光を伝達する様々な材料を示した。この図には，複数の高水溶性の材料が示されている。また，各材料についての平均近似屈折率が示されている。屈折率の変化（アッベ数に関連する）は，材料の光学的分散特性に関する情報を提供する。アッベ数は，光学的分散の評価指標である。アッベ数は，材料の屈折率の変化Δｎに反比例する。低光学的分散を有する材料はアッベ数の値が高くなる。したがって，指標の変化Δｎが大きくなるほどアッベ数は小さくなり当該材料はより高分散性となる。屈折率の変化Δｎが小さくなるほどアッベ数は大きくなり当該材料はより低分散性となる。低分散性の材料は低色収差の原因となる。図３のプロットに示されるように，フッ化バリウム（ＢａＦ２）は，約１．０μｍから約１０．０μｍの関心のある波長領域において，相対的に低い屈折率の変化Δｎ（約０．０１）を有する。フッ化バリウムは，約１．４５の屈折率を有する。また、図３に示すように，ＢａＦ２の屈折率の変化Δｎは，約１．０μｍから約１０．０μｍの間の関心のある波長領域において本質的に一定である。図３に示すように，ＮａＦも相対的に一定で低い約０．０１のという屈折率変化Δｎを有する。しかしながら，ＮａＦは，水溶性である。したがって，ＮａＦは，ＢａＦ２のようには，光学レンズを作成するために適していない。
【００２０】
表１に，図１に示した実施形態の具体的な仕様を示す。
【表１】
0005976765.tif 000002
【００２１】
表１には，望遠鏡１０の様々な光学的表面，及びその各々の曲率半径（Ｒｄ），円錐定数（ＣＣ），厚さ，及び材料の種類が示されている。例えば、表面３及び表面４は，光学収差補正機１６におけるレンズ１（レンズ１８Ｂ）の第１の表面及び第２の表面に対応する。表面５及び表面６は，光学収差補正機１６におけるレンズ２（レンズ１８Ａ）の第１の表面及び第２の表面に対応する。この例において，レンズ１８Ａ，１８ＢはＢａＦ２から作成される。
【００２２】
この光学的仕様においては，望遠鏡１０は，約２００インチ（約５ｍ）の有効焦点距離を有し，約１．０度のＦＯＶを実現する。主鏡１２及び副鏡１４の間で測定される望遠鏡１０の長さは，約５８インチ（約１．４７ｍ）である。したがって，望遠鏡１０は，約３．４４（２００インチ／５８インチ）の望遠比を有する。望遠鏡１０は，約１５インチ（約３８ｃｍ）の入射開口を有する。この入射開口は，一方向（例えば、ｙ軸方向）に１５インチ（３８ｃｍ）ほど偏心している。望遠鏡１０は，親光学系（すなわち、中心に配置された４５インチの主鏡開口を用いる光学系）のＦ値が約Ｆ／４．５の場合に，約Ｆ／１３のＦ値を実現する。
【００２３】
可視光領域の複数の波長を有する波長領域（約０．４μｍから約０．８μｍ）における波面収差の平均二乗平均平方根（ＲＭＳ  ＷＦＥ）は，０．５度のＦＯＶに対して約０．０２５（最も悪いＲＭＳ  ＷＦＥは約０．０３）となる。可視光領域の複数の波長を有する波長領域（約０．４μｍから約０．８μｍ）における平均ＲＭＳ  ＷＦＥは，１．０度のＦＯＶに対して約０．０４７（最も悪い場合のＲＭＳ  ＷＦＥは約０．０８５）となる。ＭＷＩＲ波長領域（約３．０μｍから約５．０μｍ）における平均ＲＭＳ  ＷＦＥは，０．５度のＦＯＶに対して約０．００４（最も悪いＲＭＳ  ＷＦＥは約０．００５）となる。ＭＷＩＲ波長領域（約３．０μｍから約５．０μｍ）における平均ＲＭＳ  ＷＦＥは，１．０度のＦＯＶに対して約０．００７（最も悪いＲＭＳ  ＷＦＥは約０．０１１）となる。上述のＲＭＳ  ＷＦＥに関するデータは，望遠鏡１０が，関心のある波長領域（例えば、約０．４μｍから約５．０μｍ）において色収差を減少できることを示している。同等の又はさらに低いＲＭＳ  ＷＦＥ値が，約７．５μｍから約１０．０μｍのスペクトルにおけるＬＷＩＲの部分で見られる。上述の像品質性能（ｉｍａｇｅ  ｑｕａｌｉｔｙ  ｐｅｒｆｏｒｍａｎｃｅ）値は，平面状の焦点面の一定の焦点位置において評価されており，対象のスペクトル領域の各々について望遠鏡の焦点を定め直す必要がないことに留意されたい。
【００２４】
図１に示され表１に詳細が示された実施形態は他の特徴も有する。主鏡・副鏡の組（すなわち、主鏡１２及び副鏡１４）の焦点距離は＋１９９インチであるが，レンズの組（すなわち、レンズ１８Ａ，１８Ｂ）の焦点距離は−２０９インチとなる。出来上がった系（すなわち、主鏡１２，副鏡１４，及びレンズ１８Ａ及び１８Ｂ）の焦点距離は＋２００インチとなる。レンズの組が相対的に長い焦点距離を有し，最終像の近傍に配置されることから，当該レンズの組が系の焦点距離の値に与える影響は小さくなる。例えば、レンズ１８Ｂは＋８０インチの焦点距離を有し，レンズ１８Ａは−５６インチの焦点距離を有するので，この組（レンズ１８Ａ及びレンズ１８Ｂ）の焦点距離は，上述の−２０９インチとなる。個別のレンズについてのより短くより高効率の正及び負の焦点距離と組み上がった系のより長くより低効率の結合焦点距離の組み合わせが，当該Ｒｏｓｓ式視野補正機における特徴の一つである。また，（当該レンズ組の）負の屈折力が当該鏡の組（すなわち、主鏡１２及び副鏡１４）の負の反射力の像面湾曲を相殺するので，レンズ組の焦点距離が負であるときに，焦点距離がゼロ又は正のときよりも平面状の焦点面が実現される。望遠鏡設計において有害な色収差の導入を防止し，また，光学収差補正機１６における（負の）屈折力を制限するために，低分散材料がレンズ１８Ａ及び１８Ｂ用に選択される。
【００２５】
一実施形態においては，添付図面は寸法を正しく示すように（例えば、正確な比率で）記載されているが，他の実施形態においては，構成要素の他の比率を採用することも可能である。
【００２６】
様々な実施形態に基づいて，本発明の概念を例示のために詳述したが、かかる詳細な説明は例示に過ぎず、本発明概念は開示された実施形態に限定されるものではなく，むしろ，添付の特許請求の範囲の趣旨及び範囲内の変形や均等な配置も本発明概念に含まれる。例えば、本開示は，任意の実施形態の一又は複数の特徴が，他の任意の実施形態の一又は複数の特徴と可能な限り組み合わせられうることを考慮している。
【００２７】
また、当業者にとっては多数の変更及び変形を容易に行うことができるため，本発明概念は，本明細書に開示された構成及び動作そのものに限定されるものではない。したがって、全ての好適な変形及び均等物が本開示の趣旨及び範囲に含まれる。
【００２８】
［付記］
【００２９】
付記（１）：
主鏡と，
前記主鏡から離れて配置された副鏡と，
を備え，
前記主鏡及び前記副鏡は焦点面を形成するように構成されており，
さらに複数のレンズを含む光学収差補正機を備え，
前記光学収差補正機は，前記副鏡と前記焦点面との間に配置されるとともに，前記主鏡及び前記副鏡の光学収差を補正するように構成され，
前記複数のレンズの材料は，約０．４μｍから約１２μｍの間の波長領域において放射光を伝達するために選択され，且つ，波面収差（ＲＭＳ ＷＦＥ）の平均二乗平均平方根が約０．０８より小さくなるレベルへ色収差を減少させるために屈折率の変化が約０．０５以下となるように選択される，
カセグレン式望遠鏡。
【００３０】
付記（２）：
前記複数のレンズの材料がフッ化バリウム（ＢａＦ２）である付記（１）の望遠鏡。
【００３１】
付記（３）：
前記光学収差が，球面収差，コマ収差，もしくは非点収差，又はこれらの二以上の任意の組み合わせを含む付記（１）の望遠鏡。
【００３２】
付記（４）：
前記波長領域が約１．４μｍから約３μｍの間である付記（１）の望遠鏡。
【００３３】
付記（５）：
前記波長領域が約４μｍから約８μｍの間である付記（１）の望遠鏡。
【００３４】
付記（６）：
前記波長領域が約８μｍから約１２μｍの間である付記（１）の望遠鏡。
【００３５】
付記（７）：
前記主鏡及び前記副鏡が双曲面鏡である付記（１）の望遠鏡。
【００３６】
付記（８）：
前記主鏡が放物面鏡であり前記副鏡が双曲面鏡である付記（１）の望遠鏡。
【００３７】
付記（９）：
前記望遠鏡が，結像光学系として作動するよう構成され，
前記主鏡が，遠位の物体からの放射光を受光し，当該放射光を前記副鏡の方向へ反射するように構成され，
前記副鏡が，前記主鏡によって反射された前記放射光を受光し，当該放射光を反射して前記光学収差補正機を通過後に前記焦点面に像を形成するように構成された，
付記（１）の望遠鏡。
【００３８】
付記（１０）：
前記望遠鏡が光学試験用コリメーターとして作動するように構成され，
前記副鏡が，放射源からの放射光を受光し，当該放射光を前記主鏡の方向に反射するように構成され，
前記主鏡が，前記副鏡から反射された前記放射光を前記光学収差補正機を通過後に受光し，無限遠に配置された放射源をシミュレートするために前記放射光を反射してコリメートビームを生成する，
付記（１）の望遠鏡。
【００３９】
付記（１１）：
前記望遠鏡の有効焦点距離が約２００インチであり，約３．４４の望遠比を実現するために前記望遠鏡の長さが約５８インチである付記（１）の望遠鏡。
【００４０】
付記（１２）：
前記望遠鏡の視野が約１度以上である付記（１）の望遠鏡。
【００４１】
付記（１３）：
前記望遠鏡のＦ値が約Ｆ／１３である付記（１）の望遠鏡。
【００４２】
付記（１４）：
主鏡と当該主鏡と離れて配置された副鏡とを有するカセグレン式望遠鏡の収差補正方法であって，
前記副鏡と前記主鏡及び前記副鏡によって形成される焦点面との間に，複数のレンズを備える光学収差補正機を配置する工程と，
約０．４μｍから約１２μｍの間の波長領域において放射光を伝達し，且つ，前記主鏡及び前記副鏡の光学収差を補正するために，屈折率の変化が前記波長領域において約０．０５より小さくなるように前記複数の光学レンズの材料を選択する工程と，
を備える方法。
【図１】
0005976765.tif 000003
【図２】
0005976765.tif 000004
【図３】
0005976765.tif 000005